(57)【要約】【課題】ベース部材に接着固定された鏡筒をベース部材から容易に取り外すことができる鏡筒の固定構造、レンズブロック、画像読み取りユニット及び画像形成装置を提供する。【解決手段】画像形成装置に用いられる画像読取ユニットのレンズブロックの鏡筒の固定構造１００は中間保持部材３３と鏡筒３９とを備えている。中間保持部材３３と鏡筒３９とは接着剤５１で接着固定されている。鏡筒３９の中間保持部材３３が取付けられる中間保持部材取付面５２には凹部４９が設けられている。凹部４９は中間保持部材取付面５２から凹でかつ鏡筒３９の全周に設けられている。凹部４９内には鏡筒３９と中間保持部材３３とを分離するための工具が挿入される。【選択図】図６
2006133458.tif 000002
【特許請求の範囲】
【請求項１】
レンズが圧入される鏡筒と、前記鏡筒とベース部材との双方に接着剤で固定された複数の中間保持部材と、を備えた鏡筒の固定構造において、
前記鏡筒の前記中間保持部材が取り付けられる部分と、前記中間保持部材の前記鏡筒が取り付けられる部分と、のうち少なくとも一方に、前記鏡筒と前記中間保持部材とを分離するための工具挿入用の凹部が、設けられていることを特徴とする鏡筒の固定構造。
【請求項２】
前記凹部が、少なくとも前記中間保持部材より一つ少ない数設けられていることを特徴とする請求項１に記載の鏡筒の固定構造。
【請求項３】
前記凹部が、前記鏡筒の外周面に設けられ、かつ該鏡筒の周方向に沿って伸びていることを特徴とする請求項１または請求項２に記載の鏡筒の固定構造。
【請求項４】
前記中間保持部材と前記鏡筒とが、前記凹部内に隙間が生じるように接着されていることを特徴とする請求項１乃至請求項３のうちいずれか一項に記載の鏡筒の固定構造。
【請求項５】
原稿からの反射像を光電変換素子によって読み取るレンズブロックにおいて、
請求項１乃至請求項４のうちいずれか一項に記載の鏡筒の固定構造が備えられていることを特徴とするレンズブロック。
【請求項６】
原稿に光を照射して、該原稿からの反射像を光電変換素子で光電変換する画像読み取りユニットにおいて、
請求項５に記載のレンズブロックが備えられていることを特徴とする画像読み取りユニット。
【請求項７】
請求項６に記載の鏡筒の画像読み取りユニットが備えられていることを特徴とする画像形成装置。
【請求項８】
前記画像読み取りユニットが光電変換した原稿からの反射像の画像信号に基づいて、転写紙に画像を転写する書込ユニットが、備えられていることを特徴とする請求項７記載の画像形成装置。
【発明の詳細な説明】
【技術分野】
【０００１】
本発明は、複写機、ファクシミリ、スキャナ等に用いられる鏡筒の固定構造、レンズブロック、画像読取ユニット及び画像形成装置に関し、さらに詳しくは、ベース部材に接着固定された鏡筒をベース部材から容易に取り外すことができる鏡筒の固定構造に関する。また、本発明は、かかる鏡筒の固定構造を有するレンズブロック、画像読み取りユニット及び画像形成装置に関する。
【背景技術】
【０００２】
従来から、複写機、ファクシミリ、スキャナ装置等に使用される画像読取装置には、二つ以上のレンズ群からなる結像レンズ系を有するものが知られている。この従来の画像読取装置では、副走査方向に原稿の照明光源を移動させ、原稿からの反射光を結像レンズ系に通してライン型光電変換素子に縮小結像させ、このライン型光電変換素子に結像された結像光束を光電変換して画像読み取り信号として出力するようになっている。
【０００３】
その画像読取装置では、ライン型光電変換素子の受光面上から結像光束が光軸方向にずれると、読み取り画像の劣化が生じることから、各レンズ群の間隔を調整し、読み取り画像が設計規格を満足するようにレンズ群の間隔の調整を行っている。
【０００４】
また、この画像読取装置では、レンズ群を構成するレンズの表面のうち中央の矩形状の部分が、ライン型光電変換素子の結像に寄与する。この矩形状の部分の収差等の結像性能は、レンズの光軸を中心とした周方向にばらつきがある。このため、矩形状の部分がライン型光電変換素子に平行になるようにレンズを位置決めし、結像光束の結像位置がライン型光電変換素子の受光面上に結像するようにレンズとライン型光電変換素子との間隔を調整しても、レンズを回転させて矩形状の部分がライン型光電変換素子と平行になるようにセットすると、結像光束の結像位置がライン型光電変換素子の受光面上から光軸方向にずれることがあり、画像品質の劣化を招くことがあった。
【０００５】
とくに、カラー画像を読み取るための画像読取装置に用いられるレンズでは、青色波長、緑色波長、赤色波長とで結像位置がレンズの回転方向にずれていると、カラー画像を良好に再現することができないことになる。従って、レンズを光軸を中心とした周方向に調整することも必要である。
【０００６】
このように、レンズ群の原稿から入射される反射光の光軸とライン型光電変換素子との光軸とを同一線上に位置付けなければならないため、画像読取装置に用いられるレンズの固定構造として、例えば、特許文献１参照のようなレンズの固定構造がある。
【０００７】
特許文献１の画像読取装置は、筐体と、レンズと、一対の中間保持部材と、を備えている。筐体は、矩形状に形成され、両表面が原稿からの反射光の光軸に沿うように位置付けられる。レンズは、両表面が円弧状で、光軸方向に厚みがある円柱状に形成されている。レンズは、レンズの光軸が原稿からの反射光の光軸に沿うように筐体に位置付けられる。中間保持部材は、第１の取付面と、第２の取付面とを備え、Ｌ字状に形成されている。第１の取付面と第２の取付面とは、直交している。
【０００８】
中間保持部材の第１の取付面とレンズの側面とが、接着剤により固定され、中間保持部材の第２の取付面と筐体とが、接着剤により固定される。こうして、筐体とレンズとが中間保持部材を介して固定されることによって、レンズ群の原稿から入射される反射光の光軸とライン型光電変換素子との位置を調整する。
【特許文献１】特開２００２−６１８８号公報
【発明の開示】
【発明が解決しようとする課題】
【０００９】
しかしながら、上述した鏡筒の固定構造を有した画像形成装置は、ベース部材と鏡筒との取り付け位置がずれた際等に、ベース部材に接着固定された鏡筒をベース部材から取り外し難かった。このため、ベース部材と鏡筒との取り付け位置がずれた際に、レンズブロックの再使用や資源の分別回収をすることが困難であった。
【００１０】
本発明は、以上の背景に鑑みてなされたものであり、ベース部材に接着固定された鏡筒をベース部材から容易に取り外すことができる鏡筒の固定構造、かかる鏡筒の固定構造を有するレンズブロック、画像読み取りユニット及び画像形成装置を提供することを目的としている。
【課題を解決するための手段】
【００１１】
前記課題を解決し目的を達成するために、請求項１に記載の本発明の鏡筒の固定構造は、レンズが圧入される鏡筒と、前記鏡筒とベース部材との双方に接着剤で固定された複数の中間保持部材と、を備えた鏡筒の固定構造において、前記鏡筒の前記中間保持部材が取り付けられる部分と、前記中間保持部材の前記鏡筒が取り付けられる部分と、のうち少なくとも一方に、前記鏡筒と前記中間保持部材とを分離するための工具挿入用の凹部が、設けられていることを特徴としている。
【００１２】
請求項２に記載の本発明の鏡筒の固定構造は、請求項１に記載の鏡筒の固定構造において、前記凹部が、少なくとも前記中間保持部材より一つ少ない数設けられていることを特徴としている。
【００１３】
請求項３に記載の本発明の鏡筒の固定構造は、請求項１または請求項２に記載の鏡筒の固定構造において、前記凹部が、前記鏡筒の外周面に設けられ、かつ該鏡筒の周方向に沿って伸びていることを特徴としている。
【００１４】
請求項４に記載の本発明の鏡筒の固定構造は、請求項１乃至請求項３のうちいずれか一項に記載の鏡筒の固定構造において、前記中間保持部材と前記鏡筒とが、前記凹部内に隙間が生じるように接着されていることを特徴としている。
【００１５】
請求項５に記載の本発明のレンズブロックは、原稿からの反射像を光電変換素子によって読み取るレンズブロックにおいて、請求項１乃至請求項４のうちいずれか一項に記載の鏡筒の固定構造が備えられていることを特徴としている。
【００１６】
請求項６に記載の本発明の画像読み取りユニットは、原稿に光を照射して、該原稿からの反射像を光電変換素子で光電変換する画像読み取りユニットにおいて、請求項５に記載のレンズブロックが備えられていることを特徴としている。
【００１７】
請求項７に記載の本発明の画像形成装置は、請求項６に記載の鏡筒の画像読み取りユニットが備えられていることを特徴としている。
【００１８】
請求項８に記載の本発明の画像形成装置は、請求項７記載の画像形成装置において、前記画像読み取りユニットが光電変換した原稿からの反射像の画像信号に基づいて、転写紙に画像を転写する書込ユニットが、備えられていることを特徴としている。
【発明の効果】
【００１９】
以上説明したように、請求項１に記載の本発明は、鏡筒の中間保持部材が取り付けられる部分と、中間保持部材の鏡筒が取り付けられる部分と、のうち少なくとも一方に、鏡筒と中間保持部材とを分離するための工具挿入用の凹部が、設けられているので、凹部に工具をこじ入れることで、中間保持部材即ちベース部材に接着固定された鏡筒をベース部材から容易に取り外すことができる。
【００２０】
請求項２に記載の本発明は、凹部が、少なくとも中間保持部材より一つ少ない数設けられているので、鏡筒と中間保持部材との取り付けられた部分の凹部に工具をこじ入れることで、中間保持部材即ちベース部材に接着固定された鏡筒をベース部材から容易に取り外すことができ、最後に残った中間保持部材を作業員が手作業などで、鏡筒から取り外すことができる。
【００２１】
請求項３に記載の本発明は、凹部が、鏡筒の外周面に設けられ、かつ該鏡筒の周方向に沿って伸びているので、凹部内に工具を挿入でき、鏡筒をベース部材から確実に取り外すことができる。また、凹部が鏡筒の外周面に周方向に沿って伸びているので、鏡筒を軸対象に成型することができる。このため、鏡筒とレンズとを確実に同軸にでき、レンズを容易に所望の位置に取り付けることができる。
【００２２】
請求項４に記載の本発明は、凹部内に隙間が生じるように接着されているので、凹部が確実に接着剤で覆われない。これにより、鏡筒を外す際に、凹部に工具を入れることができ、鏡筒を中間保持部材即ちベース部材から外し易くすることができる。
【００２３】
請求項５に記載の本発明は、前述した鏡筒の固定構造を備えているので、凹部に工具をこじ入れることで、接着された鏡筒をベース部材から簡単に取り外すことができる。
【００２４】
請求項６に記載の本発明は、前述したレンズブロックを備えているので、凹部に工具をこじ入れることで、接着された鏡筒をベース部材から簡単に取り外すことができる。
【００２５】
請求項７及び請求項８に記載の本発明は、前述した画像読み取りユニットを備えているので、凹部に工具をこじ入れることで、接着された鏡筒をベース部材から簡単に取り外すことができる。
【発明を実施するための最良の形態】
【００２６】
以下、本発明の第１の実施形態にかかる画像形成装置、画像読み取りユニット、レンズブロック及び鏡筒の固定構造を、図１乃至図７に基づいて説明する。
【００２７】
画像形成装置１は、図１に示すように、装置本体２と、自動原稿送り装置３と、画像読取ユニット４と、給紙ユニット５と、書込ユニット６とを備えている。
【００２８】
装置本体２は、例えば、箱状に形成され、フロア上などに設置される。装置本体２は、画像読取ユニット４と、給紙ユニット５と、書込ユニット６と、を収容している。
【００２９】
自動原稿送り装置３は、装置本体２の上部に取り付けられている。自動原稿送り装置３は、原稿載置板７と、ベルト送り装置８とを備えている。原稿載置板７は、平板状に形成され、装置本体２の上部に取り付けられているとともに、表面上に複数枚の原稿９が載置される。ベルト送り装置８は、原稿載置板７上の原稿９を一枚ずつ後述するコンタクトガラス１０上に送り出すとともに、後述のレンズブロック１６により反射像が読み取られた原稿９をコンタクトガラス１０上から装置本体２外に排出する。
【００３０】
画像読取ユニット４は、装置本体２の上部でかつ前述した自動原稿送り装置３の下方に設けられ、原稿を載置するコンタクトガラス１０と光学走査系１１とを備えている。コンタクトガラス１０は、両表面が水平方向と平行な状態で、装置本体２の上面に取り付けられている。光学走査系１１は、露光ランプ１２、第１ミラー１３、第２ミラー１４、第３ミラー１５及びレンズブロック１６などを備え、原稿９に光を照射して、該原稿９からの反射像を後述のライン型光電変換素子４２で光電変換する。
【００３１】
露光ランプ１２は、コンタクトガラス１０上の原稿９に光を照射する。第１ミラー１３、第２ミラー１４及び第３ミラー１５は、原稿９からの反射像をレンズブロック１６に導く。露光ランプ１２及び第１ミラー１３は、図示しない第１キャリッジ上に固定され、第２ミラー１４及び第３ミラー１５は、図示しない第２キャリッジ上に固定されている。原稿を読み取る際には、光路長が変化しないように第１キャリッジと第２キャリッジとは２対１の相対速度で機械的に移動される。この光学走査系１１の前述した第１キャリッジと第２キャリッジとは、図示しないスキャナ駆動モータによって移動される。
【００３２】
レンズブロック１６は、結像レンズ系３１と、イメージセンサ３２などを備えている。なお、このレンズブロック１６の詳細な構成は、後ほど説明する。レンズブロック１６は、前述した原稿の反射像をイメージセンサ３２によって読み取り、光信号から電気信号に変換して処理する。変換された電気信号は、図示しない画像処理部に向かって出力する。結像レンズ系３１及びイメージセンサ３２を図１おいて左右方向（水平方向）に移動させると画像倍率を変化させることができる。すなわち、指定された倍率に対応して結像レンズ系３１及びイメージセンサ３２の図１における左右方向の位置が設定される。
【００３３】
給紙ユニット５は、装置本体２の下部に設けられた複数の転写紙収容部１９と、転写紙送り出しユニット２０と、を備えている。転写紙収容部１９は、複数の転写紙２１を収容する。転写紙送り出しユニット２０は、転写紙収容部１９内の転写紙２１を、後述するレジストローラ２５間に送り出す。給紙ユニット５は、転写紙収容部１９内の転写紙２１を一枚ずつレジストローラ２５間則ち書込ユニット６に向けて送り出す。
【００３４】
書込ユニット６は、レーザ出力ユニット２２と、結像レンズ２３と、ミラー２４と、レジストローラ２５と、感光体ドラム２６と、現像装置２７と、転写部材２８と、定着装置２９とを備えている。
【００３５】
レーザ出力ユニット２２の内部には、レーザ光源であるレーザダイオード及びモータによって高速で定速回転するポリゴンミラーが設けられている。レーザ出力ユニット２２から照射されるレーザ光は、前記定速回転するポリゴンミラーによって偏向され、結像レンズ２３を通ってミラー２４で折り返され、感光体ドラム２６の外周面上に集光されて結像する。偏向されたレーザ光は、感光体ドラム２６が回転する方向と直交する所謂主走査方向に露光走査され、図示しない画像処理部から出力された画像信号のライン単位の記録を行う。そして、書込ユニット６は、感光体ドラム２６の回転速度と記録密度に対応した所定の周期で主走査を繰り返すことによって感光体ドラム２６の外周面上に画像、すなわち静電潜像を形成する。
【００３６】
このように書込ユニット６から出力されるレーザ光が、画像作像系の感光体ドラム２６に照射されるが、感光体ドラム２６の一端近傍のレーザ光の照射位置に主走査同期信号を発生する図示しないビームセンサが配されている。このビームセンサから出力される主走査同期信号に基づいて主走査方向の画像記録タイミングの制御、及び後述する画像信号の入出力用の制御信号の生成が行われる。
【００３７】
レジストローラ２５は、転写紙送り出しユニット２０により転写紙収容部１９から送り出されてきた転写紙２１を転写部材２８と感光体ドラム２６との間に送り出す。感光体ドラム２６は、軸芯を中心として回転自在な円柱状又は円筒状に形成されている。感光体ドラム２６は、レーザ出力ユニット２２により形成され且つ担持する静電潜像にトナーが付着して現像し、こうして得られたトナー像を転写部材２８との間に位置付けられた転写紙２１に転写する。
【００３８】
現像装置２７は、トナーを感光体ドラム２６の外周面に付着させて、該感光体ドラム２６の外周面上の静電潜像を現像する。転写部材２８は、転写紙２１を感光体ドラム２６の外周面に押し付けて、感光体ドラム２６の外周面上のトナーを転写紙２１に転写するとともに、該転写紙２１を定着装置２９に向けて送り出す。定着装置２９は、感光体ドラム２６などに形成されたトナー像を転写紙２１に定着させ、転写紙２１を装置本体２外に排出する。
【００３９】
前述した画像形成装置１は、自動原稿送り装置３が、原稿を画像読取ユニット４のコンタクトガラス１０上に自動的に給送し、読み取りが終了した原稿を自動的に排出する。画像形成装置１は、画像読取ユニット４のレンズブロック１６が、コンタクトガラス１０上にセットされた原稿に光を照射し、この原稿からの反射像を後述する光電変換素子としてのライン型光電変換素子４２によって読み取る。
【００４０】
画像形成装置１は、書込ユニット６が、画像読み取りユニット４が光電変換した原稿９からの反射像の画像信号に基づいて、感光体ドラム２６上に画像を形成し、給紙ユニット５から給紙された転写紙２１上に画像を転写して定着する。画像形成装置１は、定着が完了した転写紙２１を装置本体２外に排出する。
【００４１】
レンズブロック１６は、図２及び図３に示すように、ベース部材３０と、結像レンズ系３１と、イメージセンサ３２と、複数の中間保持部材３３とを備えている。なお、後述する鏡筒３９と、中間保持部材３３とは、本発明の鏡筒の固定構造１００を構成している。即ち、レンズブロック１６は、鏡筒の固定構造１００を備えている。
【００４２】
ベース部材３０は、平面形状が矩形状でかつ両表面が水平方向と平行な状態に配される平板部３４と、この平板部３４から立設した立設部３５と、を備えている。平板部３４則ちベース部材３０は、図１中の左右方向に沿って、移動自在に設けられる。なお、平板部３４の長手方向は、前述した図１中の左右方向と平行となる。
【００４３】
立設部３５は、平板部３４の図１中の左右方向の一方の端則ち長手方向の一方の端から立設している。立設部３５は、平板部３４の幅方向の両端から立設した一対の立設柱３６と、これらの立設柱３６の平板部３４から離れた側の端部同士を連結した連結柱３７と、を備えて、枠状に形成されている。
【００４４】
結像レンズ系３１は、二つの光学ユニット３８を備えている。光学ユニット３８は、鏡筒３９と、この鏡筒３９内に収容されるレンズ４０とを備えている。
【００４５】
鏡筒３９は、図２乃至図７に示すように、合成樹脂からなり、周知の射出成型などにより成型される。鏡筒３９は、大径部３９ａと、小径部３９ｂとを一体に備えている。大径部３９ａは、中間保持部材取付面５２と、凹部４９と、を備えている。大径部３９ａ及び小径部３９ｂは、それぞれ、小外径が軸心方向に一定の円筒状に形成されている。小径部３９ｂは、大径部３９ａの端部に連なりかつ前記大径部３９ａより内外径が小径である。大径部３９ａと小径部３９ｂとは、それぞれ、軸心に関して軸対象形状に形成されている。さらに、大径部３９ａと小径部３９ｂとが、同軸に設けられている。
【００４６】
中間保持部材取付面５２は、図４乃至図７に示すように、鏡筒３９の外周面に設けられている即ち鏡筒３９の外周面の一部である。中間保持部材取付面５２は、図６及び図７に示すように、鏡筒３９の鏡筒３９が後述する中間保持部材３３が重ねられ、鏡筒３９との間に例えば紫外線などの光が照射されると硬化する光硬化型の接着剤５１が充填される。中間保持部材取付面５２には、前述した接着剤５１により中間保持部材３３の第２の取付部４８が取り付けられる。なお、この中間保持部材取付面５２は、鏡筒３９の中間保持部材３３が取り付けられる部分をなしている。
【００４７】
凹部４９は、図４に示すように、中間保持部材取付面５２即ち鏡筒３９の外周面から凹状に形成されている。凹部４９は、鏡筒３９の軸方向の中央に設けられている。凹部４９は、鏡筒３９の外周面の全周に亘って設けられ、鏡筒３９の周方向に沿って伸びている。凹部４９の幅は、図７に示すように、ドライバ等の工具５０の外径よりも大きい。このため、凹部４９には、工具５０が差し込まれる。
【００４８】
凹部４９は、前述した接着剤５１が充填されてなく、該接着剤５１でふさがれていない。即ち、中間保持部材３３と鏡筒３９とは、凹部４９内に隙間が生じるように接着剤５１で接着されている。要するに、凹部４９内には、接着剤５１で完全に覆われないように工具が侵入できる程度に接着剤５１が充填されなければならない。凹部４９により、中間保持部材３３の第２の取付部４８と鏡筒３９との間に隙間が生じている。該凹部４９内には、中間保持部材３３と鏡筒３９とを分離するための後述する工具５０の先端が侵入可能である。即ち、凹部４９は、前述した工具５０挿入用の凹部（隙間）である。
【００４９】
レンズ４０は、１枚または複数枚のレンズから構成されている。図示例では、レンズ４０は、一つの鏡筒３９に二つ設けられている。二つのレンズ４０のうち一方のレンズ（以下、符号４０ａで示す）は、図５及び図６に示すように、大径部３９ａ内に収容され、他方のレンズ（以下、符号４０ｂで示す）は、図５及び図６に示すように、小径部３９ｂ内に収容されている。
【００５０】
これらのレンズ４０ａ，４０ｂの光軸Ｏは、互いに同一線上に配されている。即ち、レンズ４０ａ，４０ｂ同士は、互いに同軸に設けられている。レンズ４０ａ，４０ｂの光軸Ｏは、前述した大径部３９ａ及び小径部３９ｂ即ち鏡筒３９の軸心と同一線上に配されている。即ち、これらレンズ４０ａ，４０ｂと、大径部３９ａ及び小径部３９ｂ即ち鏡筒３９とは、互いに同軸に設けられている。
【００５１】
レンズ４０は、少なくとも一つが、鏡筒３９内に圧入されている。鏡筒３９則ち光学ユニット３８は、ベース部材３０の平板部３４に中間保持部材３３を介して取り付けられている。
【００５２】
また、二つの光学ユニット３８は、互いに光軸が同一直線上に位置するように配されている。前述した構成の結像レンズ系３１は、原稿９からの反射像をイメージセンサ３２のライン型光電変換素子４２に結像させる。
【００５３】
イメージセンサ３２は、パッケージ４１と、光電変換素子としてのライン型光電変換素子４２とを備えている。パッケージ４１は、例えば、セラミックスからなるベース４３と、セラミックスからなるウィンドフレーム４４と、封止ガラス４５とを備えている。ベース４３は、平板状に形成されており、表面上にライン型光電変換素子４２が取り付けられる。
【００５４】
ウィンドフレーム４４は、枠状に形成されており、ベース４３の外縁部に重ねられた格好で該ベース４３に接着剤で固定される。封止ガラス４５は、平板状に形成され、かつ外縁部がウィンドフレーム４４に重ねられた格好で、該ウィンドフレーム４４に接着剤で固定される。前述したパッケージ４１は、ベース４３とウィンドフレーム４４と封止ガラス４５とで、ライン型光電変換素子４２を覆う。また、パッケージ４１は、印刷配線板４６などに取り付けられる。
【００５５】
ライン型光電変換素子４２は、光電変換素子であるＰＤ（Ｐｈｏｔｏ  Ｄｉｏｄｅ）と電荷搬送素子であるＣＣＤ（Ｃｈａｒｇｅ  Ｃｏｕｐｌｅｄ  Ｄｅｖｉｃｅ）が直線上に並べられて構成されている。ライン型光電変換素子４２の長手方向は、主走査方向と平行になる。
【００５６】
また、前述したイメージセンサ３２は、印刷配線板４６の導体パターンと、前述したライン型光電変換素子４２の電極などとを互いに電気的に接続するためのパッケージ４１に設けられた電極やリード線などを備えている。さらに、前述したイメージセンサ３２は、封止ガラス４５が立設部３５の内側を通して、結像レンズ系３１と相対する状態で、中間保持部材３３を介して、ベース部材３０の立設部３５に取り付けられている。
【００５７】
中間保持部材３３は、例えば、透明の光を透過する合成樹脂からなり、第１の取付部４７と、第２の取付部４８とを一体に備えている。第２の取付部４８は、鏡筒取付部５３を備えている。第１の取付部４７と第２の取付部４８は、それぞれ、平板状に形成されている。第１の取付部４７の縁から第２の取付部４８が立設している。第１の取付部４７と第２の取付部４８とのなす角度は、図示例では、９０度となっている。
【００５８】
鏡筒取付面５３は、図８に示すように、第２の取付部４８の表面に設けられている。鏡筒取付面５３は、中間保持部材取付面５２と相対している。鏡筒取付面５３は、鏡筒３９の中間保持部材取付部５２に重ねられ、該中間保持部材取付部５２との間に接着剤５１が充填される。鏡筒取付面５３即ち中間保持部材３３は、前記接着剤５１により、鏡筒３９が取り付けられる。なお、鏡筒取付面５３は、中間保持部材３３の鏡筒３９が取り付けられる部分をなしている。
【００５９】
中間保持部材３３は、第１の取付部４７がベース部材３０に重ねられ、第２の取付部４８が鏡筒３９及びイメージセンサ３２のパッケージ４１に重ねられ、取付部４７，４８とベース部材３０、鏡筒３９及びイメージセンサ３２のパッケージ４１との間に接着剤５１が充填されて、ベース部材３０に鏡筒３９則ち結像レンズ系３１及びパッケージ４１則ちイメージセンサ３２を取り付ける。この際、鏡筒３９の中間保持部材取付面５２と、中間保持部材３３の第２の取付部４８の鏡筒取付面５３と、が接着剤５１を介して重ねられる。イメージセンサ３２がベース部材３０に取り付けられると、結像レンズ系３１とイメージセンサ３２の光軸Ｏ（図２中に一点鎖線で示す）は、同一線上に位置する。
【００６０】
次に、前述した鏡筒の固定構造１００の中間保持部材３３と鏡筒３９とを取り外す手順を以下説明する。図７に示すように、鏡筒３９の中間保持部材取付面５２に設けられた凹部４９内で前述した接着剤５１（即ち中間保持部材３３）との間にドライバ等の工具５０を差し込む。そして、差し込んだ工具５０の先端を、例えば、接着剤５１に押し当てて、該工具５０で接着剤５１を鏡筒３９から離れる方向に押圧する。すると、鏡筒３９と中間保持部材３３とが互いに離れる。こうして、鏡筒３９と中間保持部材３３とが互いに取り外される。前述した工具５０は、少なくとも先端などの一部が前述した中間保持部材取付面５２と鏡筒取付面５３とのうち少なくとも一方に設けられた凹部４９内に挿入可能で、かつ該少なくとも一部が凹部４９内に挿入されると前記鏡筒３９と中間保持部材３３とが分離されることが可能である。
【００６１】
本実施形態によれば、鏡筒３９の中間保持部材取付面５２に凹部４９が設けられているので、凹部４９に工具５０をこじ入れることで、中間保持部材３３即ちベース部材３０に接着された鏡筒３９を該ベース部材３０から簡単に取り外すことができる固定構造１００、レンズブロック１６、画像読み取りユニット４及び画像形成装置１を得ることができる。
【００６２】
凹部４９が鏡筒３９の全周に設けられているので、鏡筒３９を軸対称に成型することができ、レンズ４０と鏡筒３９とを確実に同軸にすることができる。したがって、高精度の光学ユニット３８、レンズブロック１６を容易に得ることができる。
【００６３】
凹部４９内に隙間が生じるように、中間保持部材３３と鏡筒３９とが接着されているので、凹部４９が接着剤５１で確実に覆われない。このため、鏡筒３９を外す際に、凹部４９に工具５０を確実に挿入することができ、鏡筒３９をベース部材３０から外し易くすることができる。
【００６４】
次に、本発明の第２の実施形態にかかるレンズブロックを図８を参照して説明する。なお、前述した第１の実施形態と同一構成部分には、同一符号を付して重複する説明を省略する。
【００６５】
本実施形態では、図８に示すように、中間保持部材３３の第２の取付部４８の鏡筒取付面５３に凹部４９が設けられている。凹部４９は、図８に示すように、第２の取付部４８の鏡筒取付面５３から凹状に形成されている。さらに、凹部４９は、中間保持部材３３の鏡筒取付面５３に連なる（以外の）表面に開口している。凹部４９の幅は、ドライバ等の工具５０の外径よりも大きい。このため、凹部４９には、工具５０が差し込まれる。凹部４９を設けた中間保持部材取付面５２と、鏡筒取付面５３と、が接着剤５１で互いに固定される。
【００６６】
次に、中間保持部材３３と鏡筒３９とを取り外す手順を、以下説明する。図８に示すように、中間保持部材３３の第２の取付部４８の鏡筒取付面５３に設けられた凹部４９にドライバ等の工具５０を差し込む。そして、差し込んだ工具５０の先端を、接着剤５１と凹部４９の底面とのうち一方に押し当てて、該一方を他方から離れる方向に押圧する。すると、鏡筒３９と中間保持部材３３とが互いに離れる。こうして、鏡筒３９と中間保持部材３３とが取り外される。
【００６７】
本実施形態によれば、中間保持部材３３の鏡筒取付面５３に凹部４９が設けられているので、凹部４９に工具５０をこじ入れることで、中間保持部材３３即ちベース部材３０に接着された鏡筒３９を該ベース部材３０から簡単に取り外すことができる固定構造１００、レンズブロック１６、画像読み取りユニット４及び画像形成装置１を得ることができる。また、前述した第１の実施形態と同様に、凹部４９が接着剤５１で確実に覆われないため、鏡筒３９を外す際に、凹部４９に工具５０を確実に挿入することができ、鏡筒３９をベース部材３０から外し易くすることができる。
【００６８】
次に、本発明の第３の実施形態にかかるレンズブロックを図９を参照して説明する。なお、前述した第１及び第２の実施形態と同一構成部分には、同一符号を付して重複する説明を省略する。
【００６９】
本実施形態では、図９に示すように、鏡筒３９の中間保持部材取付面５２と、中間保持部材３３の鏡筒取付面５３と、の双方に凹部４９が設けられている。これらの凹部４９の構成は、前述した第１の実施形態及び第２の実施形態と同様である。本実施形態においても凹部４９を設けた中間保持部材取付面５２と、鏡筒取付面５３と、が接着剤５１で互いに固定される。
【００７０】
次に、中間保持部材３３と鏡筒３９とを取り外す手順を、以下説明する。図９に示すように、鏡筒３９の中間保持部材取付面５２に設けられた凹部４９と中間保持部材３３の第２の取付部４８の鏡筒取付面５３に設けられた凹部４９との一方に、ドライバ等の工具５０を差し込む。同時に、中間保持部材取付面５２に設けられた凹部４９または鏡筒取付面５３に設けられた凹部４９の他方にも、工具５０を差し込む。そして、差し込んだ工具５０夫々の先端を、接着剤５１などに押し当てて、該工具５０の先端で中間保持部材３３及び鏡筒３９を互いに離れる向に押圧する。すると、鏡筒３９と中間保持部材３３とが互いに離れる。こうして、鏡筒３９と中間保持部材３３とが取り外される。
【００７１】
本実施形態によれば、鏡筒３９の中間保持部材取付面５２と中間保持部材３３の鏡筒取付面５３との双方に凹部４９が設けられているので、凹部４９に工具５０をこじ入れることで、中間保持部材３３即ちベース部材３０に接着された鏡筒３９を該ベース部材３０から簡単に取り外すことができる固定構造１００、レンズブロック１６、画像読み取りユニット４及び画像形成装置１を得ることができる。また、前述した第１及び第２の実施形態と同様に、凹部４９が接着剤５１で確実に覆われないため、鏡筒３９を外す際に、凹部４９に工具５０を確実に挿入することができ、鏡筒３９をベース部材３０から外し易くすることができる。
【００７２】
前述した実施形態では、鏡筒３９の中間保持部材取付面５２と中間保持部材３３の第２の取付部４８の鏡筒取付面５３と、の接着部分それぞれに凹部４９を少なくとも一つ設けていた。しかしながら、本発明では、図１０に示すように、凹部４９は、鏡筒３９の中間保持部材取付面５２と、中間保持部材３３の第２の取付部４８の鏡筒取付面５３と、の接着部分より一つ少ない数以上あれば良い。即ち、図１０に示すように、本発明では、一つの接着部分即ち一つの中間保持部材３３に、対応する前述した工具挿入用（即ち分離用）の凹部４９を設けなくても良い。なお、図１０において、前述した実施形態と同一部分には同一符号を付して説明を省略する。さらに、図１０に示す場合においても、中間保持部材３３に凹部４９を設けても良い。
【００７３】
この場合、前述した実施形態と同様の方法で、対応する凹部４９が設けられた中間保持部材３３を鏡筒３９から取り外す。その後、最後に残った（鏡筒３９に取り付けられたままの）中間保持部材３３を作業員が手作業などで、鏡筒３９から取り外す。この場合によれば、凹部４９が設けられた中間保持部材３３を鏡筒３９から工具５０で取り外し、最後の中間保持部材３３を作業員が手作業などで取り外すことができるので、確実に鏡筒３９をベース部材３０から取り外すことができる。
【００７４】
また、前述した実施形態では、凹部４９は、鏡筒３９の外周面の全周に亘って設けられていた。しかしながら、本発明では、図１１に示すように、凹部４９は、鏡筒３９の外周面の全周に亘って設けられていなくても良い。本発明では、鏡筒３９と中間保持部材３３との取り付け部分に、鏡筒３９と中間保持部材３３とを分離するための工具５０が挿し込むことができる凹部４９を設ければ良い。
【００７５】
また、前述した実施形態では、図示例では、鏡筒３９の大径部３９ａの外周面の軸方向の中央に凹部４９が設けられたが、しかしながら、本発明では、鏡筒３９の大径部３９ａの外周面の軸方向の中央に凹部４９が設けられなくても良い。要するに、凹部４９は、中間保持部材取付面５２と鏡筒取付面５３とのうち少なくとも一方に設けられていれば、例えば、鏡筒３９の大径部３９ａの外周面の軸方向の端部に設けられても良い。
【００７６】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００７７】
【図１】本発明の第１の実施形態にかかる画像形成装置の要部を示す説明図である。
【図２】図１に示された画像形成装置のレンズブロックの斜視図である。
【図３】図２中に示されたレンズブロックの側面図である。
【図４】図３に示されたレンズブロックの光学ユニットの側面図である。
【図５】図４中のＶ−Ｖ線に沿う断面図である。
【図６】図５に示された光学ユニットの鏡筒に中間保持部材を接着した状態を示す断面図である。
【図７】図６に示された鏡筒に設けられた凹部に工具が挿し込まれる状態を示す断面図である。
【図８】本発明の第２の実施の形態にかかる光学ユニットなどを示す断面図である。
【図９】本発明の第３の実施の形態にかかる光学ユニットなどを示す断面図である。
【図１０】図６に示された光学ユニットなどの変形例を示す斜視図である。
【図１１】図６に示された光学ユニットなどの他の変形例を示す斜視図である。
【符号の説明】
【００７８】
１  画像形成装置
４  画像読み取りユニット
１６  レンズブロック
３０  ベース部材
３３  中間保持部材
３９  鏡筒
４０，４０ａ，４０ｂ  レンズ
４９  凹部
５０  工具
５１  接着剤
５２  中間保持部材取付面（部分）
５３  鏡筒取付面（部分）
１００  鏡筒の固定構造
【図１】
2006133458.tif 000003
【図２】
2006133458.tif 000004
【図３】
2006133458.tif 000005
【図４】
2006133458.tif 000006
【図５】
2006133458.tif 000007
【図６】
2006133458.tif 000008
【図７】
2006133458.tif 000009
【図８】
2006133458.tif 000010
【図９】
2006133458.tif 000011
【図１０】
2006133458.tif 000012
【図１１】
2006133458.tif 000013